(57)【特許請求の範囲】
【請求項１】
空調対象に向けて送風する送風ファンおよび空気を冷却する空調コイルを有する空調機と、前記空調機に対し冷媒を供給する熱源手段とを有する空調システムを制御する空調制御装置において、
前記空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却空気に係る送風の風速値を上げるように変更する風速値変更手段と、
前記変更後の風速値になるように前記送風ファンを制御する送風ファン制御手段と、
前記温度計測値又は前記湿度計測値と、前記空調対象に係る気流速度とにより算出される指標値が前記指標値範囲記憶手段にて記憶された目標範囲内である場合、前記空調システムの消費エネルギーが小さくなるように前記空調システムを制御し、
前記算出される指標値が前記指標値範囲記憶手段にて記憶された目標範囲にない場合、前記風速値の変更後の前記空調システムの消費エネルギーが小さくなるよう前記空調システムを制御する消費エネルギー制御手段と
を有することを特徴とする空調制御装置。
【請求項２】
空調対象に向けて送風する送風ファンと、空気を冷却する空調コイル、および前記空調コイルに対し冷媒を供給する熱源手段とを有する空調システムを制御する空調制御装置において、
前記空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却空気に係る送風の風速値を上げるように変更する風速値変更手段と、
前記変更後の風速値になるよう前記送風ファンを制御する送風ファン制御手段と、
前記風速値の変更後の前記空調システムの消費エネルギーが小さくなるよう前記空調システムを制御する消費エネルギー制御手段と
を有することを特徴とする空調制御装置。
【請求項３】
空気を冷却する空調コイルを有する空調機と、前記空調機に対し空気を冷却するための冷媒を供給する熱源手段とを有する空調システムを制御する空調制御装置において、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記空調対象に向けて冷却された空気を送風する送風ファンからの、前記指標値に係る変数である気流速度に関連する、風速の風速値を上げるように変更する風速値変更手段と、
前記変更後の風速値になるよう前記送風ファンを制御する送風ファン制御手段と、
前記風速値の変更後の前記空調システムの消費エネルギーが小さくなるよう前記空調システムを制御する消費エネルギー制御手段と
を有することを特徴とする空調制御装置。
【請求項４】
空調対象のビルの室内又は当該室内の制御ゾーンに向けて送風する送風ファンを有する空調機と、前記空調機に対し空気を冷却するための冷媒を供給する熱源手段とを有する空調システムを制御する空調制御装置において、
前記空調対象のビルの室内又は当該室内の制御ゾーンに係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却空気に係る送風の風速値を上げるように変更する風速値変更手段と、
前記変更後の風速値になるよう前記送風ファンを制御する送風ファン制御手段と、
前記風速値の変更後の前記空調システムの消費エネルギーが小さくなるよう前記熱源手段を制御する消費エネルギー制御手段と
を有することを特徴とする空調制御装置。
【請求項５】
空調対象に向けて送風する送風ファンを有する空調機と、前記空調機に対し空気を冷却するための冷媒を供給する熱源手段とを有する空調システムを制御する空調制御装置において、
前記空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却空気に係る送風の風速値を上げるように変更する風速値変更手段と、
前記変更後の風速値になるよう前記送風ファンを制御する送風ファン制御手段と、
前記風速値の変更後の前記空調システムの消費エネルギーが小さくなるよう前記熱源手段を制御する消費エネルギー制御手段と
を有することを特徴とする空調制御装置。
【請求項６】
空調対象に向けて送風する送風ファンを有する空調機と、当該空調機に対し空気を冷却するための冷媒を供給する熱源手段とを有する空調システムを制御する空調制御装置において、
前記空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記指標値に係る変数である気流速度に関連する、前記送風ファンからの冷却空気に係る送風の風速値を上げるように変更制御する送風ファン制御手段と、
前記風速値の変更後の前記空調システムの消費エネルギーが小さくなるよう前記熱源手段を制御する消費エネルギー制御手段と
を有することを特徴とする空調制御装置。
【請求項７】
空調コイルと、前記空調コイルに対し空気を冷却するための冷媒を供給する熱源手段とを有する空調システムを制御する空調制御装置において、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調対象に向けて冷却空気を送風する送風ファンからの、前記指標値に係る変数である気流速度に関連する、送風の風速値を上げるように変更制御する送風ファン制御手段と、
前記風速値の変更後の前記空調システムの消費エネルギーが小さくなるよう前記空調システムを制御する消費エネルギー制御手段と
を有することを特徴とする空調制御装置。
【請求項８】
空気を冷却する空調コイルと、前記空調コイルに対し空気を冷却するための冷媒を供給する熱源手段とを有する空調システムを制御する空調制御装置において、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調対象に向けて冷却された空気を送風する送風ファンからの、前記指標値に係る変数である気流速度に関連する、風速の風速値を上げるように変更制御する送風ファン制御手段と、
前記風速値の変更後の消費エネルギーが小さくなるよう前記熱源手段又は前記空調コイルの少なくともいずれかを制御する消費エネルギー制御手段と
を有することを特徴とする空調制御装置。
【請求項９】
空調機と、前記空調機に対し空気を冷却するための冷媒を供給する熱源手段とを有する空調システムを制御する空調制御装置において、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調対象に向けて冷却された空気を送風する送風ファンからの、前記指標値に係る変数である気流速度に関連する、風速の風速値を上げるように変更制御する送風ファン制御手段と、
前記風速値の変更後の消費エネルギーが小さくなるよう前記熱源手段を制御する消費エネルギー制御手段と
を有することを特徴とする空調制御装置。
【請求項１０】
空調機に対し空気を冷却するための冷媒を供給する熱源手段を少なくとも有する空調システムを制御する空調制御装置において、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調機にて冷却された空気を前記空調対象に向けて送風する送風ファンからの、前記指標値に係る変数である気流速度に関連する、風速の風速値を上げるように変更制御する送風ファン制御手段と、
前記風速値の変更後の消費エネルギーが小さくなるよう前記熱源手段を制御する消費エネルギー制御手段と
を有することを特徴とする空調制御装置。
【請求項１１】
空調コイルと、前記空調コイルに対し空気を冷却するための冷媒を供給する熱源手段とを有する空調システムを制御する空調制御装置において、
空調対象に係る温度計測値および湿度計測値を取得する計測値取得手段と、
人間の温熱感覚に係る指標値の目標範囲を記憶する指標値範囲記憶手段と、
前記温度計測値と、前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調対象に向けて冷却された空気を送風する送風ファンからの、前記指標値に係る変数である気流速度に関連する、風速の風速値を上げるように変更制御する送風ファン制御手段と、
前記風速値の変更後の前記空調システムの消費エネルギーが小さくなるよう前記空調システムを制御する消費エネルギー制御手段と
を有することを特徴とする空調制御装置。
【請求項１２】
前記指標値は、ＰＭＶ値である
ことを特徴とする請求項１〜１１いずれか１項に記載の空調制御装置。
【請求項１３】
空調対象に向けて送風する送風ファンおよび空気を冷却する空調コイルを有する空調機と、
前記空調機に対し冷媒を供給する熱源手段と、
前記空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却空気に係る送風の風速値を上げるように変更する風速値変更手段と、
前記変更後の風速値になるように前記送風ファンを制御する送風ファン制御手段と、
前記温度計測値又は前記湿度計測値と、前記空調対象に係る気流速度とにより算出される指標値が前記指標値範囲記憶手段にて記憶された目標範囲内である場合、自空調システムの消費エネルギーが小さくなるよう前記空調コイルおよび前記熱源手段を制御し、
前記算出される指標値が前記指標値範囲記憶手段にて記憶された目標範囲にない場合、前記風速値の変更後の消費エネルギーが小さくなるよう前記空調コイルおよび前記熱源手段を制御する消費エネルギー制御手段と
を有することを特徴とする空調システム。
【請求項１４】
空調対象に向けて送風する送風ファンと、
空気を冷却する空調コイルと、
前記空調コイルに対し冷媒を供給する熱源手段と、
前記空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却空気に係る送風の風速値を上げるように変更する風速値変更手段と、
前記変更後の風速値になるよう前記送風ファンを制御する送風ファン制御手段と、
前記風速値の変更後の消費エネルギーが小さくなるよう前記空調コイルおよび前記熱源手段を制御する消費エネルギー制御手段と
を有することを特徴とする空調システム。
【請求項１５】
空気を冷却する空調コイルを有する空調機と、
前記空調機に対し空気を冷却するための冷媒を供給する熱源手段と、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記空調対象に向けて冷却された空気を送風する送風ファンからの、前記指標値に係る変数である気流速度に関連する、風速の風速値を上げるように変更する風速値変更手段と、
前記変更後の風速値になるよう前記送風ファンを制御する送風ファン制御手段と、
前記風速値の変更後の消費エネルギーが小さくなるよう前記空調機および熱源手段を制御する消費エネルギー制御手段と
を有することを特徴とする空調システム。
【請求項１６】
空調対象のビルの室内又は当該室内の制御ゾーンに向けて送風する送風ファンを有する空調機と、
前記空調機に対し空気を冷却するための冷媒を供給する熱源手段と、
前記空調対象のビルの室内又は当該室内の制御ゾーンに係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却された空気に係る送風の風速値を上げるように変更する風速値変更手段と、
前記変更後の風速値になるよう前記送風ファンを制御する送風ファン制御手段と、
前記風速値の変更後の消費エネルギーが小さくなるよう前記熱源手段を制御する消費エネルギー制御手段と
を有することを特徴とする空調システム。
【請求項１７】
空調対象に向けて送風する送風ファンを有する空調機と、
前記空調機に対し冷媒を供給する熱源手段と、
前記空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却空気に係る送風の風速値を上げるように変更する風速値変更手段と、
前記変更後の風速値になるよう前記送風ファンを制御する送風ファン制御手段と、
前記風速値の変更後の消費エネルギーが小さくなるよう前記熱源手段を制御する消費エネルギー制御手段と
を有することを特徴とする空調システム。
【請求項１８】
空調対象に向けて送風する送風ファンを有する空調機と、
前記空調機に対し空気を冷却するための冷媒を供給する熱源手段と、
前記空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記指標値に係る変数である気流速度に関連する、前記送風ファンからの冷却空気に係る送風の風速値を上げるように変更制御する送風ファン制御手段と、
前記風速値の変更後の消費エネルギーが小さくなるよう前記熱源手段を制御する消費エネルギー制御手段と
を有することを特徴とする空調システム。
【請求項１９】
空調コイルと、
前記空調コイルに対し空気を冷却するための冷媒を供給する熱源手段と、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調対象に向けて冷却空気を送風する送風ファンからの、前記指標値に係る変数である気流速度に関連する、風速の風速値を上げるように変更制御する送風ファン制御手段と、
前記風速値の変更後の消費エネルギーが小さくなるよう前記空調コイルおよび熱源手段を制御する消費エネルギー制御手段と
を有することを特徴とする空調システム。
【請求項２０】
空気を冷却する空調コイルと、
前記空調コイルに対し空気を冷却するための冷媒を供給する熱源手段と、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調対象に向けて冷却された空気を送風する送風ファンからの、前記指標値に係る変数である気流速度に関連する、風速の風速値を上げるように変更制御する送風ファン制御手段と、
前記風速値の変更後の消費エネルギーが小さくなるよう前記熱源手段又は前記空調コイルの少なくともいずれかを制御する消費エネルギー制御手段と
を有することを特徴とする空調システム。
【請求項２１】
空調機と、
前記空調機に対し空気を冷却するための冷媒を供給する熱源手段と、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調対象に向けて冷却された空気を送風する送風ファンからの、前記指標値に係る変数である気流速度に関連する、風速の風速値を上げるように変更制御する送風ファン制御手段と、
前記風速値の変更後の消費エネルギーが小さくなるよう前記熱源手段を制御する消費エネルギー制御手段と
を有することを特徴とする空調システム。
【請求項２２】
空調機に対し空気を冷却するための冷媒を供給する熱源手段と、
空調対象に係る温度計測値又は湿度計測値を取得する計測値取得手段と、
人間の温熱感覚に係る指標値の目標範囲を記憶する指標値範囲記憶手段と、
前記温度計測値又は前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調機にて冷却された空気を前記空調対象に向けて送風する送風ファンからの、前記指標値に係る変数である気流速度に関連する、風速の風速値を上げるように変更制御する送風ファン制御手段と、
前記風速値の変更後の消費エネルギーが小さくなるよう前記熱源手段を制御する消費エネルギー制御手段と
を有することを特徴とする空調システム。
【請求項２３】
空調コイルと、
前記空調コイルに対し空気を冷却するための冷媒を供給する熱源手段と、
空調対象に係る温度計測値および湿度計測値を取得する計測値取得手段と、
人間の温熱感覚に係る指標値の目標範囲を記憶する指標値範囲記憶手段と、
前記温度計測値と、前記湿度計測値と、前記空調対象に係る気流速度とにより前記指標値を算出する指標値算出手段と、
前記指標値算出手段にて算出された指標値が前記指標値範囲記憶手段にて記憶された指標値の目標範囲内にない場合、前記空調対象に向けて冷却された空気を送風する送風ファンからの、前記指標値に係る変数である気流速度に関連する、風速の風速値を上げるように変更制御する送風ファン制御手段と、
前記風速値の変更後の消費エネルギーが小さくなるよう前記空調コイルおよび熱源手段を制御する消費エネルギー制御手段と
を有することを特徴とする空調システム。
【請求項２４】
前記指標値は、ＰＭＶ値である
ことを特徴とする請求項１３〜２３いずれか１項に記載の空調システム。
【請求項２５】
空調対象に向けて送風する送風ファンおよび空気を冷却する空調コイルを有する空調機と、前記空調機に対し冷媒を供給する熱源手段とを有する空調システムを制御する空調制御装置が、
前記空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより算出される前記指標値が前記指標値範囲記憶ステップにて記憶された目標範囲内にない場合、前記指標値に係る変数である気流速度に関連する、前記送風ファンからの冷却空気に係る送風の風速値を上げるように変更する風速値変更ステップと、
前記変更後の風速値になるように前記送風ファンを制御する送風ファン制御ステップと、
前記温度計測値又は前記湿度計測値と、前記空調対象に係る気流速度とにより算出される指標値が前記指標値範囲記憶ステップにて記憶された目標範囲内である場合、前記空調システムの消費エネルギーが小さくなるように前記空調システムを制御し、
前記算出される指標値が前記指標値範囲記憶ステップにて記憶された目標範囲にない場合、前記風速値の変更後の前記空調システムの消費エネルギーが小さくなるよう前記空調システムを制御する消費エネルギー制御ステップと
を有することを特徴とする空調制御方法。
【請求項２６】
空調対象に向けて送風する送風ファンと、空気を冷却する空調コイル、および前記空調コイルに対し冷媒を供給する熱源手段とを有する空調システムを制御する空調制御装置が、
前記空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより算出される前記指標値が前記指標値範囲記憶ステップにて記憶された目標範囲内にない場合、前記指標値に係る変数である気流速度に関連する、前記送風ファンからの冷却空気に係る送風の風速値を上げるように変更する風速値変更ステップと、
前記変更後の風速値になるよう前記送風ファンを制御する送風ファン制御ステップと、
前記風速値の変更後の前記空調システムの消費エネルギーが小さくなるよう前記空調システムを制御する消費エネルギー制御ステップと
を有することを特徴とする空調制御方法。
【請求項２７】
空気を冷却する空調コイルを有する空調機と、前記空調機に対し空気を冷却するための冷媒を供給する熱源手段とを有する空調システムを制御する空調制御装置が、
空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより算出される前記指標値が前記指標値範囲記憶ステップにて記憶された目標範囲内にない場合、前記空調対象に向けて冷却された空気を送風する送風ファンからの、前記指標値に係る変数である気流速度に関連する、風速の風速値を上げるように変更する風速値変更ステップと、
前記変更後の風速値になるよう前記送風ファンを制御する送風ファン制御ステップと、
前記風速値の変更後の前記空調システムの消費エネルギーが小さくなるよう前記空調システムを制御する消費エネルギー制御ステップと
を有することを特徴とする空調制御方法。
【請求項２８】
空調対象のビルの室内又は当該室内の制御ゾーンに向けて送風する送風ファンを有する空調機と、前記空調機に対し空気を冷却するための冷媒を供給する熱源手段とを有する空調システムを制御する空調制御装置が、
前記空調対象のビルの室内又は当該室内の制御ゾーンに係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより算出される前記指標値が前記指標値範囲記憶ステップにて記憶された目標範囲内にない場合、前記指標値に係る変数である気流速度に関連する、前記送風ファンからの冷却された空気に係る送風の風速値を上げるように変更する風速値変更ステップと、
前記変更後の風速値になるよう前記送風ファンを制御する送風ファン制御ステップと、
前記風速値の変更後の前記空調システムの消費エネルギーが小さくなるよう前記熱源手段を制御する消費エネルギー制御ステップと
を有することを特徴とする空調制御方法。
【請求項２９】
空調対象に向けて送風する送風ファンを有する空調機と、前記空調機に対し空気を冷却するための冷媒を供給する熱源手段とを有する空調システムを制御する空調制御装置が、
前記空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより算出される前記指標値が前記指標値範囲記憶手段にて記憶された目標範囲内にない場合、前記指標値に係る変数である気流速度に関連する、前記送風ファンからの冷却空気に係る送風の風速値を上げるように変更する風速値変更ステップと、
前記変更後の風速値になるよう前記送風ファンを制御する送風ファン制御ステップと、
前記風速値の変更後の前記空調システムの消費エネルギーが小さくなるよう前記熱源手段を制御する消費エネルギー制御ステップと
を有することを特徴とする空調制御方法。
【請求項３０】
空調対象に向けて送風する送風ファンを有する空調機と、当該空調機に対し空気を冷却するための冷媒を供給する熱源手段とを有する空調システムを制御する空調制御装置が、
前記空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより前記指標値を算出する指標値算出ステップと、
前記指標値算出ステップにて算出された指標値が前記指標値範囲記憶ステップにて記憶された指標値の目標範囲内にない場合、前記指標値に係る変数である気流速度に関連する、前記送風ファンからの冷却空気に係る送風の風速値を上げるように変更制御する送風ファン制御ステップと、
前記風速値の変更後の前記空調システムの消費エネルギーが小さくなるよう前記熱源手段を制御する消費エネルギー制御ステップと
を有することを特徴とする空調制御方法。
【請求項３１】
空調コイルと、前記空調コイルに対し空気を冷却するための冷媒を供給する熱源手段とを有する空調システムを制御する空調制御装置が、
空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより前記指標値を算出する指標値算出ステップと、
前記指標値算出ステップにて算出された指標値が前記指標値範囲記憶ステップにて記憶された指標値の目標範囲内にない場合、前記空調対象に向けて冷却空気を送風する送風ファンからの、前記指標値に係る変数である気流速度に関連する、風速の風速値を上げるように変更制御する送風ファン制御ステップと、
前記風速値の変更後の前記空調システムの消費エネルギーが小さくなるよう前記空調システムを制御する消費エネルギー制御ステップと
を有することを特徴とする空調制御方法。
【請求項３２】
空気を冷却する空調コイルと、前記空調コイルに対し空気を冷却するための冷媒を供給する熱源手段とを有する空調システムを制御する空調制御装置が、
空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより前記指標値を算出する指標値算出ステップと、
前記指標値算出ステップにて算出された指標値が前記指標値範囲記憶ステップにて記憶された指標値の目標範囲内にない場合、前記空調対象に向けて送風する送風ファンからの、前記指標値に係る変数である気流速度に関連する、風速の風速値を上げるように変更制御する送風ファン制御ステップと、
前記風速値の変更後の消費エネルギーが小さくなるよう前記熱源手段又は前記空調コイルの少なくともいずれかを制御する消費エネルギー制御ステップと
を有することを特徴とする空調制御方法。
【請求項３３】
空調機と、
前記空調機に対し空気を冷却するための冷媒を供給する熱源手段とを有する空調システムを制御する空調制御装置が、
空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより前記指標値を算出する指標値算出ステップと、
前記指標値算出ステップにて算出された指標値が前記指標値範囲記憶ステップにて記憶された指標値の目標範囲内にない場合、前記空調対象に向けて冷却された空気を送風する送風ファンからの、前記指標値に係る変数である気流速度に関連する、風速の風速値を上げるように変更制御する送風ファン制御ステップと、
前記風速値の変更後の消費エネルギーが小さくなるよう前記熱源手段を制御する消費エネルギー制御ステップと
を有することを特徴とする空調制御方法。
【請求項３４】
空調機に対し空気を冷却するための冷媒を供給する熱源手段を少なくとも有する空調システムを制御する空調制御装置が、
空調対象に係る温度計測値又は湿度計測値を取得する計測値取得ステップと、
人間の温熱感覚に係る指標値の目標範囲を記憶する指標値範囲記憶ステップと、
前記温度計測値又は前記湿度計測値と、前記空調対象に係る気流速度とにより前記指標値を算出する指標値算出ステップと、
前記指標値算出ステップにて算出された指標値が前記指標値範囲記憶ステップにて記憶された指標値の目標範囲内にない場合、前記空調機にて冷却された空気を前記空調対象に向けて送風する送風ファンからの、前記指標値に係る変数である気流速度に関連する、風速の風速値を上げるように変更制御する送風ファン制御ステップと、
前記風速値の変更後の消費エネルギーが小さくなるよう前記熱源手段を制御する消費エネルギー制御ステップと
を有することを特徴とする空調制御方法。
【請求項３５】
空調コイルと、前記空調コイルに対し空気を冷却するための冷媒を供給する熱源手段とを有する空調システムを制御する空調制御装置が、
空調対象に係る温度計測値および湿度計測値を取得する計測値取得ステップと、
人間の温熱感覚に係る指標値の目標範囲を記憶する指標値範囲記憶ステップと、
前記温度計測値と、前記湿度計測値と、前記空調対象に係る気流速度とにより前記指標値を算出する指標値算出ステップと、
前記指標値算出ステップにて算出された指標値が前記指標値範囲記憶ステップにて記憶された指標値の目標範囲内にない場合、前記空調対象に向けて冷却された空気を送風する送風ファンからの、前記指標値に係る変数である気流速度に関連する、風速の風速値を上げるように変更制御する送風ファン制御ステップと、
前記風速値の変更後の前記空調システムの消費エネルギーが小さくなるよう前記空調システムを制御する消費エネルギー制御ステップと
を有することを特徴とする空調制御方法。
【請求項３６】
前記指標値は、ＰＭＶ値である
ことを特徴とする請求項２５〜３５いずれか１項に記載の空調制御方法。
【請求項３７】
空調対象に向けて送風する送風ファンと、空気を冷却する空調コイル、および前記空調コイルに対し冷媒を供給する熱源手段とを有する空調システムを制御する空調制御装置に、
前記空調対象に係る温度計測値又は湿度計測値を取得する計測値取得機能と、
人間の温熱感覚に係る指標値の目標範囲を記憶する指標値範囲記憶機能と、
前記温度計測値又は前記湿度計測値と、前記空調対象に係る気流速度とにより算出される前記指標値が前記指標値範囲記憶機能にて記憶された目標範囲内にない場合、前記指標値に係る変数である気流速度に関連する、前記送風ファンからの冷却された空気に係る送風の風速値を上げるように変更する風速値変更機能と、
前記変更後の風速値になるよう前記送風ファンを制御する送風ファン制御機能と、
前記風速値の変更後の前記空調システムの消費エネルギーが小さくなるよう前記空調システムを制御する消費エネルギー制御機能と
を実行させる空調制御用プログラム。
【請求項３８】
空調コイルと、前記空調コイルに対し空気を冷却するための冷媒を供給する熱源手段とを有する空調システムを制御する空調制御装置に、
空調対象に係る温度計測値又は湿度計測値を取得する計測値取得機能と、
人間の温熱感覚に係る指標値の目標範囲を記憶する指標値範囲記憶機能と、
前記温度計測値又は前記湿度計測値と、前記空調対象に係る気流速度とにより前記指標値を算出する指標値算出機能と、
前記指標値算出機能にて算出された指標値が前記指標値範囲記憶機能にて記憶された指標値の目標範囲内にない場合、前記空調対象に向けて冷却空気を送風する送風ファンからの、前記指標値に係る変数である気流速度に関連する、風速の風速値を上げるように変更制御する送風ファン制御機能と、
前記風速値の変更後の前記空調システムの消費エネルギーが小さくなるよう前記空調システムを制御する消費エネルギー制御機能と
を実行させる空調制御用プログラム。
【発明の詳細な説明】
【技術分野】
【０００１】
本発明の実施形態は、空調制御装置、空調システム、空調制御方法、空調制御用プログラムに関する。
【背景技術】
【０００２】
オフィスや住居などの建築設備全体で消費されるエネルギーは、空調関連のエネルギーが約半分を占めている。そのため、空調制御に関する省エネルギーの推進が、建築設備全体の省エネルギー化に大きく貢献する。
【０００３】
これに鑑み、建築設備において最適な省エネルギー化を図った空調運転をする空調システムを利用した技術が特許文献１に記載されている。
【０００４】
この特許文献１の技術は、冷温水を生産する熱源機の消費エネルギー、空調コイルで熱交換された空気を送出するファンの消費エネルギー、熱源機からの冷温水を送出するポンプの消費エネルギーを含む空調所要消費エネルギーが最小になるように、空調コイルのコイル温度目標値と熱源機の冷温水温度目標値を求めることにより、効率よく省エネルギー化された空調運転を行うことができる。
【先行技術文献】
【特許文献】
【０００５】
【特許文献１】特開２００４−６９１３４号公報
【発明の概要】
【発明が解決しようとする課題】
【０００６】
このように省エネルギーが推進される一方で、空調制御の対象となる室内では在室者の温熱感覚を満足させるため、いわゆる快適性を確保することが要求されているが、この「省エネルギーの推進」と「在室者の快適性の確保」とはトレードオフの関係にあり、省エネルギーを推進すると在室者の快適性が低下する場合が多い。
【０００８】
そこで本発明は上記事情に鑑みてなされたものであり、在室者の快適性を考慮しつつ、効率よく消費エネルギーの省エネルギー化を図ることができる空調制御装置、空調システム、空調制御方法、空調制御用プログラムを提供することを目的とする。
【課題を解決するための手段】
【０００９】
上記目的を達成するための実施形態によれば本発明の空調制御装置は、計測値取得手段と指標値範囲記憶手段と風速値変更手段と送風ファン制御手段と消費エネルギー制御手段とを有する。計測値取得手段は空調対象に係る温度計測値又は湿度計測値を取得する。指標値範囲記憶手段は人間の温熱感覚に係る指標値の目標範囲を記憶する。風速値変更手段は指標値が目標範囲内にない場合、風速値を上げるように変更する。送風ファン制御手段は変更後の風速値になるよう送風ファンを制御する。消費エネルギー制御手段は指数値が目標範囲にない場合、風速値の変更後の空調システムの消費エネルギーが小さくなるよう空調システムを制御する。
【図面の簡単な説明】
【００１０】
【図１】本発明の第１実施形態〜第５実施形態による空調制御システムの構成を示す全体図である。
【図２】本発明の第１実施形態〜第３実施形態による空調制御システムの詳細な構成を示す構成図である。
【図３】本発明の第１実施形態〜第５実施形態による空調制御システムの動作を示すシーケンス図である。
【図４】本発明の第１実施形態〜第５実施形態による空調制御システムにおいて利用されるＰＭＶ値が快適と判断されるときの室温と室内の湿度との関係を示すグラフある。
【図５】本発明の第３実施形態による空調制御システムにおいて、外気冷却用コイル１１、還気冷却用コイル１２、送風ファン１３に空気を供給するためのダンパー開度の外気取り込み量による変化を示すグラフである。
【図６】本発明の第４実施形態による空調制御システムの詳細な構成を示す構成図である。
【図７】本発明の第５実施形態による空調制御システムの空調機の詳細な構成を示す構成図である。
【図８】本発明の第５実施形態による空調機の外気冷却用コイルおよび還気冷却用コイルを流れる冷水の流路を示す概念図である。
【発明を実施するための形態】
【００１１】
本発明の実施形態について、図面を参照して説明する。なお、最近の多くのオフィスビル等は断熱性が良くＰＣやＯＡ機器が多いため、年間を通して冷房モードであるので、以下の各実施形態においては冷房モードで空調制御を行う場合について説明する。
【００１２】
《第１実施形態》
〈第１実施形態による空調制御システムの構成〉
本発明の第１実施形態による空調制御システム１の全体図を、図１に示す。
【００１３】
なお、大型ビルの場合、室内が大きいので室内を複数の制御ゾーンに分けて、それぞれの制御ゾーン毎に対応して、複数の空調機を室内の近傍の機械室に設置する。このような場合でも以下では簡略のため各制御ゾーンも室内と呼ぶことにする。
【００１４】
空調制御システム１は空調対象のビルＡ内の空調を制御するものであり、ビルＡ内の各室内に設置された空調機１０と、各室内に設置され室温を計測して各空調機１０に計測値を送信する温度センサ２０と、各室内に設置され室内の湿度を計測して各空調機に計測値を送信する湿度センサ３０と、各空調機１０へ供給する冷水を管理する中央熱源装置４０と、各空調機１０で受信された室温計測値および室内の湿度の計測値を受信して中央熱源装置４０及び各空調機１０の動作を制御する空調制御装置としての空調連携制御装置５０とを有する。
【００１５】
各空調機１０は、温度センサ２０および湿度センサ３０から取得した計測値を空調連携制御装置５０へ送信する。また各空調機１０は、図２に示すように、中央熱源装置４０から供給された冷水を利用して外気を除湿および冷却する外気冷却用コイル１１と、中央熱源装置４０から供給された冷水を利用して室内の還気の照明、ＯＡ機器、人体等から発せられた顕熱を冷却する還気冷却用コイル１２と、外気冷却用コイル１１で冷却された外気および還気冷却用コイル１２で冷却された空気を混合した空気を各室内に送風する送風ファン１３とを有する。
【００１６】
中央熱源装置４０は、冷水を生成する冷凍機４１と、冷凍機４１を冷却して温度が上昇した水を、再利用するため空気で冷却する冷却塔４２と、冷凍機４１と各空調機１０または冷却塔４２との間で冷水を搬送する送水ポンプ４３とを有する。
【００１７】
空調連携制御装置５０は、各空調機１０から送信された温度センサ２０および湿度センサ３０の計測値を取得して、予め設定された快適性指標の範囲内で、中央熱源装置４０の冷却塔４２、冷凍機４１、送水ポンプ４３、および空調機１０の外気冷却用コイル１１、還気冷却用コイル１２、送風ファン１３の消費エネルギーの合計値が最小となるように各室内の最適な室温設定値および湿度設定値を算出し、各空調機１０および中央熱源装置４０に送信する。
【００１８】
〈第１実施形態による空調制御システムの動作〉
本実施形態における空調制御システム１の動作について、図３のシーケンス図を参照して説明する。
【００１９】
まず、ビルＡ内の空調制御が開始されると、各温度センサ２０で室温の計測値が計測されるとともに、各湿度センサ３０で室内の湿度の計測値が計測される。各温度センサ２０で計測された計測値および各湿度センサ３０で計測された計測値は、それぞれの室内の空調機１０に送信される（Ｓ１）。
【００２０】
各温度センサ２０および各湿度センサ３０から送信された計測値は各空調機１０で受信され、さらに空調連携制御装置５０に送信される（Ｓ２）。
【００２１】
空調連携制御装置５０では、ＰＭＶ（Predicted Mean Vote:予測平均回答）が快適な範囲内で、且つ、全所要消費エネルギーである中央熱源装置４０の冷却塔４２、冷凍機４１、送水ポンプ４３、および空調機１０の外気冷却用コイル１１、還気冷却用コイル１２、送風ファン１３の消費エネルギーの合計値が最小となるように各室内の最適な室温設定値および湿度設定値が算出される（Ｓ３）。
【００２２】
ここで各値の算出に利用されるＰＭＶについて説明する。
【００２３】
ＰＭＶとは、暑さ、寒さに対する人間の温熱感覚に影響を与える変数として（ａ）空気温度、（ｂ）相対湿度、（ｃ）平均輻射温度、（ｄ）気流速度、（ｅ）活動量（人体の内部発熱量）、（ｆ）着衣量の６つを用いて求められる快適性指標である。
【００２４】
人の発熱量は対流による放射量、輻射による放熱量、人からの蒸発熱量、呼吸による放熱量および蓄熱量の合計で、これらの熱平衡式が成立している場合は、人体が熱的に中立であり、暑くも寒くもない快適状態である。逆に熱平衡式がくずれた場合に人体は暑さ寒さを感じる。
【００２５】
デンマーク工科大学のFanger教授は1967年に快適方程式の導出を発表し、これを出発点として人体の熱負荷と人間の温冷感を、欧米人の多数の被験者のアンケートから統計分析して結び付け、ＰＭＶを提案した。これは近年ＩＳＯ規格にも取り上げられ最近よく用いられるようになった。
【００２６】
温冷感の指標となるＰＭＶは、次の７段階評価尺度による数値として表す。
【００２７】
＋３:暑い
＋２:暖かい
＋１:やや暖かい
０:どちらでもない、快適
−１:やや涼しい
−２:涼しい
−３:寒い
なお、人間の快適なＰＭＶ値の範囲は−０．５〜＋０．５である。
【００２８】
上記の６つの変数のうち、作業強度を表す活動量は通常、代謝量metの単位を用い、着衣量はcloの単位を用いる。
【００２９】
単位ｍｅｔ（メット）は、代謝量を表し、熱的に快適な状態における安静時代謝を基準とし、１ｍｅｔは下記式（１）で表される。
【００３０】
〔数１〕
1met ＝ 58.2 W/m２ ＝ 50 kcal/m２・h
また、単位ｃｌｏ（クロ）は、衣服の熱絶縁性を表し、１clo とは気温 21℃，相対湿度 50％，気流 5cm/s以下の室内で、体表面からの放熱量が1metの代謝と平衡するような着衣状態での値であり、通常の熱抵抗値に換算すると下記式（２）で表される。
【００３１】
〔数２〕
1clo ＝ 0.155 m２・℃/W ＝ 0.18 m２・h・℃/kcal
下記式（３）を用いて快適な範囲内（−０．５＜ＰＭＶ＜＋０．５）で冷房時はより暑い方向の側に、暖房時はより寒い方向の側にＰＭＶ目標値を設定することで空調負荷の軽減を図ることができ、省エネルギーを達成できる。
【００３２】
〔数３〕
0005284528.tif 000002
ここで、Ｍ：活動量［ｋｃａｌ／ｈ］
Ａ：人体表面積［ｍ２］
Ｌ：人体熱負荷［ｋｃａｌ／ｍ２ｈ］（Fangerの快適方程式より算定）
次に、空調機１０の最適な設定値の算出について説明する。
【００３３】
空調制御システム１内で消費される全消費エネルギーは、上述した中央熱源装置４０の冷却塔４２、冷凍機４１、送水ポンプ４３、および空調機１０の外気冷却用コイル１１、還気冷却用コイル１２、送風ファン１３の消費エネルギーの合計値である。
【００３４】
この空調機１０の設定値を、空調制御システム１内で消費される全消費エネルギーが最小となるように算出するアルゴリズムとして、特願２００７−０７０９２３号明細書に記載されたように、空調制御に用いる各種センサの出力値から空調最適化に必要な状態量、例えば部屋内発生熱量、部屋内発生水蒸気量、熱交換器の総括伝熱係数と伝熱面積との積等の物理量を推定することで、空調システム全体を見通した最適な制御を可能にする手法がある。また、特願２００７−０９８５５１号明細書等に記載されたように、初期段階において現状の熱源機と冷水コイルとの間の熱交換量から暫定的な総空調負荷を算出し、この総空調負荷を変数として空調システムの最適運転状態量に基づいて空調システムの空調機器を制御し、空調制御対象空間の空気状態が設定された空調条件にほぼ一致したとき、真の総空調負荷を算出し最適運転状態量を決定することにより空調を効率的に運転でき、空調のシステムの省エネ化を実現する手法がある。
【００３５】
本実施形態においては、上述したようにＰＭＶ値が快適な範囲である−０．５〜＋０．５内で、空調制御システム１内の全消費エネルギーが最小となるように空調機１０の最適な設定値が算出されて空調機１０および中央熱源装置４０に送信される（Ｓ３）。
【００３６】
中央熱源装置４０で空調機１０の最適な設定値が取得されると、この設定値に基づいて空調機１０に必要な冷水が供給される（Ｓ４）ことにより、在室者の快適性が考慮されて調整された空気が空調制御対象の室内に供給される（Ｓ５）。
【００３７】
ここで、空調制御対象の室内に調整された空気が供給されるときの空調機１０の動作について説明する。
【００３８】
空調制御システムにより冷房処理が行われるときは、居住者のために建物に取り入れる新鮮外気の除湿および冷却する機能（潜熱冷房負荷）と、建物内部の照明、ＯＡ機器、人体等の顕熱発熱を冷却する機能（顕熱冷房負荷）との２つが空調機において実行される。
【００３９】
従来の空調機により冷房を行うときには、外気と還気を混合することにより上記の２つの機能が同時に行われていたが、除湿が必要になるのは主に外気のみであるためそれぞれの機能に必要な冷水の温度、流量が異なり、上記の２つの機能は別個に実行されるほうが効率的である。
【００４０】
そこで、本実施形態においては、図２に示すように外気を除湿、冷却する外気冷却用コイル１１と、還気を冷却する還気冷却用コイル１２とが別に設けられ、それぞれの制御に適した温度、流量の冷水が供給されるようにする。
【００４１】
以上の第１実施形態によれば、在室者の快適性が考慮されるとともに、外気と室内の還気とが別に調整され、且つシステム内の全所要消費エネルギーが最小となるように制御されることにより効率よく消費エネルギーの省エネルギー化を図った空調制御を行うことが可能になる。
【００４２】
《第２実施形態》
〈第２実施形態による空調制御システムの構成〉
本発明の第２実施形態による空調制御システム２の構成は、図１および図２に示す第１実施形態の構成と同様であるため、詳細な説明は省略する。
【００４３】
〈第２実施形態による空調制御システムの動作〉
本実施形態における空調制御システム２の動作は、図３のステップＳ３における各空調機１０の設定値の算出を除いては第１実施形態と同様であるため、同一部分の詳細な説明については省略する。
【００４４】
本実施形態において、図３のステップＳ３において、空調連携制御装置５０で、ＰＭＶが快適な範囲内で所要消費エネルギーが最小となるよう各空調機１０の設定値が算出される際の処理について説明する。
【００４５】
図４に、事務所ビルを想定し、風速は０．１ｍ／Ｓのときに、ＰＭＶ値が冷房時に省エネで快適な０．３〜０．５となるときの室温と室内の湿度との関係を示す。図４において、太線で囲まれた範囲Ａの室温および室内の湿度の状態のときに、ＰＭＶ値０．３〜０．５になることを示している（湿度は２０％〜８０％に限定した）。
【００４６】
一方、温室効果ガス削減のために、夏のエアコンの温度設定を２８℃にすることが政府により推奨されている（平成１７年夏にスタートした「COOL BIZ（クールビズ）」）。
【００４７】
しかし、図４からわかるように、室温が２８℃の場合いくら湿度を低くしても、人間にとって快適な範囲の上限のＰＭＶ値である＋０．５より越えてしまうことがわかる。
【００４８】
ここで、風速を０．５ｍ／Ｓとすれば、室温が２８℃でも湿度が４０％でＰＭＶが＋０．５以下（約０．４３）となる。
【００４９】
そこで、本実施形態においては、人間の居る高さの中心位置である床から１ｍ付近で風速が最高０．５ｍ／ｓとなるように、揺らぎのある風を空調機１０の送風部分から空調制御対象の室内に供給するように設定する。
【００５０】
この供給される風は揺らぎのある風なので、平均風速は０．５ｍ／ｓよりも小さくなるように設定でき、送風ファン１３の消費エネルギーを大幅に増やすことなく、室温設定が２８℃の状態でも、在室者に快適な空調制御を提供することができる。
【００５１】
以上の第２実施形態によれば、空調機１０の最適な設定値を、空調機１０から送風される風速についても考慮して算出するため、さらに効率よく消費エネルギーの省エネルギー化と快適性維持とを図った空調制御を行うことが可能になる。
【００５２】
《第３実施形態》
〈第３実施形態による空調制御システムの構成〉
本発明の第３実施形態による空調制御システム３の構成は、空調制御対象の室内にＣＯ2センサ（図示なし）または人感センサ（図示なし）を設けることの他は図１および図２に示す第１実施形態の構成と同様であるため、同一部分の詳細な説明は省略する。
【００５３】
ＣＯ2センサは、在室者により排出される室内のＣＯ2濃度を測定し、空調機１０に送信する。また人感センサは、空調制御対象の室内の在室者の数を検知し、空調機１０に送信する。
【００５４】
〈第３実施形態による空調制御システムの動作〉
本実施形態における空調制御システム３の動作について、図３を参照して説明する。
【００５５】
まず、ビルＡ内の空調制御が開始されると、各温度センサ２０で室温の計測値が計測され、各湿度センサ３０で室内の湿度の計測値が計測されるとともに、ＣＯ2センサで室内のＣＯ2濃度が測定されるかまたは人感センサで在室者の数が検知される。各センサで計測された計測値は、それぞれの室内の空調機１０に送信される（Ｓ１）。
【００５６】
各温度センサ２０および各湿度センサ３０から送信された計測値は各空調機１０で受信され、さらに空調連携制御装置５０に送信される（Ｓ２）。
【００５７】
本実施形態において、空調連携制御装置５０で、ＰＭＶが快適な範囲内で所要消費エネルギーが最小となるよう各空調機１０の最適な設定値が算出される際の処理について説明する。
【００５８】
本実施形態の空調連携制御装置５０では、図５に示すグラフに従って、外気冷却用コイル１１、還気冷却用コイル１２、送風ファン１３に空気を供給するためのダンパー開度が制御される。
【００５９】
図５に示すように、空調立上時（ａ）は還気冷却用コイル１２へのタンパーが全開であるとともに外気冷却用コイル１１へのダンパーが全閉であり、室内空気の外気への排気は行われていない状態である。一定時間後室内への排気が開始されると、外気の温度、湿度、および還気の温度、湿度により、各機器の全消費エネルギーが最小となるように最小外気時（ｂ）〜中間外気時（ｃ）〜最大外気時（ｄ）内のいずれかの時点が選択され各タンパー開度が制御される。
【００６０】
この最小外気時（ｂ）〜中間外気時（ｃ）〜最大外気時（ｄ）内のいずれかの時点が選択される際は、室内が冷房要求時で外気のエンタルピーが室内のエンタルピーより低くエネルギー的に外気を取り入れたほうが有効な場合には積極的に外気が導入されるようにダンパー開度が制御され、還気冷却用コイル１２に供給される冷水使用量が軽減される。
【００６１】
またここで、外気冷却用コイル１１の負荷が一定値よりも大きい場合、図５に従って各ダンパー開度が制御される際に、ＣＯ2センサまたは人感センサから取得される計測値も考慮して各機器の設定値が算出される。
【００６２】
具体的には、ＣＯ2濃度が一定濃度よりも高くなったときまたは在室者が一定以上の人数になった場合には、ＣＯ2濃度を一定濃度よりも下げるための最小限の外気を取り入れるようにダンパー開度が制御されて換気によりＣＯ2濃度が下げられることで、外気冷却用コイル１１の負荷が過剰になることなく換気が行われる。
【００６３】
このように、各機器の所要消費エネルギーが最小となるように各空調機１０の設定値を定める際に、外気冷房の利用、および、室内のＣＯ2濃度または在室者の人数に基づいた最小の外気取り入れにより制御され（Ｓ３）、この設定値に基づいて中央熱源装置４０から空調機１０に必要な冷水が供給される（Ｓ４）ことにより、在室者の快適性が考慮されて調整された空気が空調制御対象の室内に供給される（Ｓ５）。
【００６４】
以上の第３実施形態によれば、空調機の最適な設定値を、外気冷房の利用と、室内のＣＯ2濃度または在室者の人数に基づいた外気の取り入れを考慮して算出するため、さらに効率よく消費エネルギーの省エネルギー化を図った空調制御を行うことが可能になる。
【００６５】
《第４実施形態》
〈第４実施形態による空調制御システムの構成〉
本発明の第４実施形態による空調制御システム４の構成は、図６に示すように熱源装置が中央熱源装置４０、４０’の２系統設置されている他は第１実施形態と同様であるため、同一部分の詳細な説明は省略する。
【００６６】
本実施形態において、中央熱源装置４０は外気冷却用コイル１１へ冷水を供給し、中央熱源装置４０’は還気冷却用コイル１２へ冷水を供給する。
【００６７】
〈第４実施形態による空調制御システムの動作〉
本実施形態における空調制御システム４の動作は、図３のステップＳ５において冷水が供給されるときの処理を除いては第１実施形態と同様であるため、同一部分の詳細な説明については省略する。
【００６８】
本実施形態では、ステップＳ６において各空調機１０に冷水が供給される際に、外気冷却用コイル１１へは中央熱源装置４０から冷水が供給され、還気冷却用コイル１２へは中央熱源装置４０とは別系統の中央熱源装置４０’から冷水が供給される。
【００６９】
従来の空調制御システムで中央熱源装置から冷却用コイルに供給される冷水は約７℃であるが、この７℃の冷水を必要とするのは外気を除湿、冷却するときのみであり、空調制御対象の室内の還気を冷却する際には冷水の温度は１３℃程度で十分である。この外気を除湿、冷却する際に必要となるエネルギー量（潜熱冷房負荷）は、冷房の空調制御を行う際に必要とするエネルギー総量の約３０〜２０％である。したがって、エネルギー総量の７０〜８０％にあたる還気を冷却する際に必要となるエネルギー量（顕熱冷房負荷）は、過剰に冷却された冷水が利用され無駄が生じていることになる。
【００７０】
そこで、本実施形態においては、外気冷却用コイル１１に冷水を供給する中央熱源装置４０と還気冷却用コイル１２に冷水を供給する中央熱源装置４０’との２系統の冷水供給源が設けられ、中央熱源装置４０から外気冷却用コイル１１へ供給される冷水は７℃前後に調整され、中央熱源装置４０’から還気冷却用コイル１２へ供給される冷水は１３℃前後に調整されるように設定される。
【００７１】
以上の第４実施形態によれば、２系統の中央熱源装置４０、４０’を設けることにより、過剰に低温の冷水を調整することによるエネルギーの無駄を省くことができ、さらに効率よく消費エネルギーの省エネルギー化を図った空調制御を行うことが可能になる。
【００７２】
《第５実施形態》
〈第５実施形態による空調制御システムの構成〉
本発明の第５実施形態による空調制御システム５の構成は、図１に示す第１実施形態による空調制御システム１の構成と同様であるが、各空調機１０内では、外気冷却用コイル１１と還気冷却用コイル１２とを直列状態で接続されている。
【００７３】
各空調機１０は、図７に示すように、中央熱源装置４０から外気冷却用コイル１１に取り込む冷水の量を開度により調整する第１の弁である弁１４と、外気冷却用コイル１１で利用された後の冷水を還気冷却用コイル１２に取り込む量を調整するための第２の弁である弁１５と、外気冷却用コイル１１で利用された後の冷水を排水する量を調整するため還気冷却用コイル１２に並列状態で接続された第３の弁である弁１６と、中央熱源装置４０から還気冷却用コイル１２に直接取り込む冷水の量を調整するため、外気冷却用コイル１１、弁１５、および弁１６の上流にこれらに直列状態で接続された第４の弁である弁１７とを有する。
【００７４】
〈第５実施形態による空調制御システムの動作〉
本実施形態における空調制御システム５の動作は、図３のステップＳ５において冷水が供給されるときの処理を除いては第１実施形態と同様であるため、同一部分の詳細な説明については省略する。
【００７５】
本実施形態では、ステップＳ５において各空調機１０に冷水が供給される際に、中央熱源装置４０からは外気冷却用コイル１１に７℃の冷水が供給され、この外気冷却用コイル１１で利用された後の冷水が還気冷却用コイル１２で再利用される。第４実施形態において説明したように、還気冷却用コイル１２で利用される冷水は外気冷却用コイル１１で利用される冷水ほど低い温度である必要はないため、外気冷却用コイル１１で利用された後の冷水を再利用することで対応可能である。
【００７６】
このとき、中央熱源装置４０から外気冷却用コイル１１に供給される冷水の量は弁１４の開度により調整され、外気冷却用コイル１１で利用された後に還気冷却用コイル１２に供給される冷水の量は弁１５および弁１６の開度により調整される。また、還気冷却用コイル１２で利用する冷水の量が外気冷却用コイル１１で利用した後の冷水のみでは足りない場合は、弁１７を開くことにより中央熱源装置４０から直接冷水が供給される。
【００７７】
図８の（ａ）は弁１４および弁１５が同程度に開かれることにより、外気冷却用コイル１１で利用された冷水が全て還気冷却用コイル１２に供給される場合の冷水の流れを太線で示し、（ｂ）は弁１４、弁１５、および弁１６が開かれることにより、外気冷却用コイル１１で利用された冷水の一部が還気冷却用コイル１２に供給されるとともに不要な冷水が排水される場合の冷水の流れを太線で示し、（ｃ）は弁１４、弁１５、および弁１７が開かれることにより、外気冷却用コイル１１で利用された冷水および中央熱源装置４０からの冷水が還気冷却用コイル１２に供給される場合の冷水の流れを太線で示した概念図である。
【００７８】
以上の第５実施形態によれば、外気冷却用コイル１１と還気冷却用コイル１２とを直列状態に接続することにより、外気冷却用コイル１１で利用した冷水を還気冷却用コイル１２で再利用することができ、さらに効率よく消費エネルギーの省エネルギー化を図った空調制御を行うことが可能になる。
【００７９】
なお、上記の第１実施形態〜第５実施形態においては、空調制御対象のビルＡ内に中央熱源装置４０を有する場合について説明したが、各ビルに中央熱源装置４０の冷凍機４１と冷却塔４２がなく、ＤＨＣ（District Heating and Cooling：地域冷暖房）により空調制御を行う際は冷・温水は外部から供給される（ただし各空調機に冷温水を送る送水ポンプ４３は建物内にある）。このような場合、空調制御システム内の全消費エネルギーは、送水ポンプ、外気冷却用コイル、還気冷却用コイル、および送風ファンの消費エネルギーの合計値となる。
【００８０】
また、上記の第１実施形態〜第５実施形態においては、各温度センサ２０および各湿度センサ３０で計測された計測値は空調機３０を介して空調連携制御装置５０に送信される場合について説明したが、これには限定されず、各センサから直接空調連携制御装置５０に送信されるようにしてもよい。
【００８１】
また、上記の第１実施形態〜第５実施形態においては、人間の温熱感覚の快適性指標としてＰＭＶを用いたが、これには限定されず、標準有効温度や新有効温度を用いて空調制御を行うようにしてもよい。
【００８２】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００８３】
１〜５…空調制御システム
１０…空調機
１１…外気冷却用コイル
１２…還気冷却用コイル
１３…送風ファン
１４〜１７…弁
２０…温度センサ
３０…湿度センサ
４０…中央熱源装置
４１…冷凍機
４２…冷却塔
４３…送水ポンプ
５０…空調連携制御装置
【図１】
0005284528.tif 000003
【図２】
0005284528.tif 000004
【図３】
0005284528.tif 000005
【図４】
0005284528.tif 000006
【図５】
0005284528.tif 000007
【図６】
0005284528.tif 000008
【図７】
0005284528.tif 000009
【図８】
0005284528.tif 000010